(57)【特許請求の範囲】
【請求項１】
冊子状に製本された製本カタログにおいて、前記製本カタログを見開いた時に、見開き頁の綴じ部に見開き頁に掲載された商品に対応する注文票が綴じ込まれていると共に、前記注文票が前記綴じ部近傍に綴じ部に平行に設けられたミシン目で切り取り可能に構成されており、前記注文票が前記見開き頁の頁単位の二組の注文票からなり、前記二組の注文票を前記製本カタログの前記見開き頁のどちらか一方の頁側に重ねた時に、前記二組の注文票の上側にくる一組の注文票が前記製本カタログの前記見開き頁の他方の頁に掲載された商品に対応する注文票からなることを特徴とする注文票付きカタログ。
【請求項２】
前記頁単位の二組の注文票の各組が複写可能な複数枚の注文票からなることを特徴とする請求項１記載の注文票付きカタログ。
【請求項３】
前記注文票の前記綴じ部を除いた３辺のいずれか１辺に切欠部が設けられると共に、該切欠部が前記製本カタログを閉じた状態において階段状に設けられていることを特徴とする請求項１または２に記載の注文票付きカタログ。
【請求項４】
前記製本カタログの前記注文票に設けられた前記切欠部に対応する位置に、前記製本カタログの頁に掲載された商品に対応する表示が付けられていることを特徴とする請求項３記載の注文票付きカタログ。
【請求項５】
前記注文票が葉書形式の注文票からなることを特徴とする請求項１、３、４のいずれかに記載の注文票付きカタログ。
【発明の詳細な説明】
【０００１】
【発明の属する技術分野】
本発明は、製本された製本カタログと該製本カタログに掲載された商品を注文するための注文票に関し、さらに詳しくは、注文票が製本カタログ内に組み込まれた注文票付きカタログに関するものである。
【０００２】
【従来の技術】
従来、商品受注会（販売元が小売等の販売店を招待して商品を展示しながら、販売受注する会）などにおいて、商品を注文する場合は、製本カタログと該製本カタログの各頁に対応した注文票を綴じて注文票綴りとした注文票冊子を用いて行われていた。具体的には、前記製本カタログの中から注文する商品を選定し、選定した商品が掲載された前記製本カタログの頁に対応する注文票を前記注文票冊子から探し出すと共に、探し出した注文票に必要事項を記入して、前記注文票冊子から必要事項を記入した前記注文票を切り取るなどして後に、この注文票を商品受注会場で注文先に手渡すなり、あるいは、注文先に何らかの手段により届けるなりすることにより注文作業を行っていた。
【０００３】
そのために、前記製本カタログの各頁に対応する注文票は、製本カタログの各頁に掲載されている商品の商品名や色、形、サイズ等事前に記載可能な事項は予め記載され、商品受注会において記入者の記入する手間を可能な限り省けるように構成されているが、製本カタログは通常、製本カタログに掲載されている商品が極めて多く、そのため頁数も相当数あり、製本カタログ内の商品を選定した後に、選定した商品に対応する注文票を前記注文票冊子の中から探すのは、極めて煩雑なものであると共に、誤って選定した商品の注文票とは異なる注文票に記入するという問題もあった。
【０００４】
【発明が解決しようとする課題】
そこで本発明の目的は、上記問題点に鑑みてなされたものであり、製本カタログに掲載された商品を選定して注文する際に、製本カタログの見開き頁の一方の頁に掲載された商品の中から商品を選定すると同時に、他方の頁上に設けられた前記一方の頁に掲載された商品に対応する注文票に、選定した商品の最小限の必要事項を記入するだけで、選定した商品を注文することができる注文票付きカタログを提供することにある。
【０００５】
【課題を解決するための手段】
本発明者等は、上記目的を達成するために、請求項１記載の発明の注文票付きカタログは、冊子状に製本された製本カタログにおいて、前記製本カタログを見開いた時に、見開き頁の綴じ部に見開き頁に掲載された商品に対応する注文票が綴じ込まれていると共に、前記注文票が前記綴じ部近傍に綴じ部に平行に設けられたミシン目で切り取り可能に構成されていることを特徴とするものである。このように構成することにより、製本カタログに掲載された商品を選定し、選定した商品を選定した商品が掲載された見開き頁に設けられた注文票に記入し、該注文票をミシン目で切り取って、注文先に注文することにより注文作業が完了するために、注文作業が極めて容易である。
【０００６】
さらに、請求項１記載の発明は、前記注文票が前記見開き頁の頁単位の二組の注文票からなり、前記二組の注文票を前記製本カタログの前記見開き頁のどちらか一方の頁側に重ねた時に、前記二組の注文票の上側にくる一組の注文票が前記製本カタログの前記見開き頁の他方の頁に掲載された商品に対応する注文票からなることを特徴とするものである。このように構成することにより、製本カタログの見開き頁の一方の見開き頁に掲載された商品に対応する注文票が前記見開き頁の他方の見開き頁の上に位置するようになり、一方の見開き頁に掲載された商品を見ながら注文票に記入することができる。
【０００７】
また、請求項２に記載の発明は、請求項１記載の注文票付きカタログにおいて、前記頁単位の二組の注文票の各組が複写可能な複数枚の注文票からなることを特徴とするものである。このように構成することにより、保管管理する必要のある部署数分の注文票とすることができる。
【０００８】
また、請求項３に記載の発明は、請求項１または２に記載の注文票付きカタログにおいて、前記注文票の前記綴じ部を除いた３辺のいずれか１辺に切欠部が設けられると共に、該切欠部が前記製本カタログを閉じた状態において階段状に設けられていることを特徴とするものである。このように構成することにより、見開き頁を開け易くすることができる。
【０００９】
また、請求項４に記載の発明は、請求項３記載の注文票付きカタログにおいて、前記製本カタログの前記注文票に設けられた前記切欠部に対応する位置に、前記製本カタログの頁に掲載された商品に対応する表示が付けられていることを特徴とするものである。このような構成とすることにより、注文票付きカタログの索引と前記表示を対応させることにより、容易に目的とする商品の頁を見開くことができる。
【００１０】
また、請求項５に記載の発明は、請求項１、３、４のいずれかに記載の注文票付きカタログにおいて、前記注文票が葉書形式の注文票からなることを特徴とするものである。このように構成することにより、製本カタログに掲載された商品が同一のメーカーの商品ではなく、メーカーの異なる商品が混在する場合においても、見開き頁単位に注文票が設けられていることにより、宛先宛名等の固定情報を事前に印刷したものを用いることができ、記入の手間をその分だけでも省くことができる。
【００１１】
【発明の実施の形態】
以下に本発明について、図面等を用いてさらに詳しく説明する。
図１は本発明にかかる注文票付きカタログの一実施例を示す斜視図、図２は図１の要部拡大斜視図、図３は本発明にかかる注文票付きカタログを見開いた状態の一方のカタログ頁と該カタログ頁に対応する注文票の一実施例を示す平面図、図４は本発明にかかる注文票付きカタログを見開いた状態の他方のカタログ頁と該カタログ頁に対応する注文票の一実施例を示す平面図、図５は本発明にかかる注文票付きカタログの製造時の一構成図であり、図中の１は注文票付きカタログ、２は両面印刷紙片、３は注文票片、４は表紙、５は綴じ部、11はミシン目、21，21’はカタログ頁、31，31’は注文票、31Ａはお客様控え、31Ｂは販売員控え、31Ｃは注文依頼票、32は注文商品記入欄、33はコードナンバー記入欄、34は注文者の所在地記入欄、35は注文者の店名記入欄、50は半裁線をそれぞれ示す。
【００１２】
図１は本発明にかかる注文票付きカタログの一実施例を示す斜視図、図２は図１の要部拡大斜視図であって、注文票付きカタログ１は、商品が掲載されたカタログ頁を構成する両面印刷紙片２と二組の注文票からなる注文票片３と表紙４とからなり、前記両面印刷紙片２の間に前記注文票片３が介在するように構成されると共に、前記両面印刷紙片２と前記注文票片３とを表紙４と共に、通常背といわれる綴じ部５で無線綴じすることにより製本カタログとしたものである。
【００１３】
図３は本発明にかかる注文票付きカタログを見開いた状態の一方のカタログ頁と該カタログ頁に対応する注文票の一実施例を示す平面図であって、本発明の注文票付きカタログ１は、図３において綴じ部５の左側は商品が掲載された左側のカタログ頁21を示したものであり、綴じ部５の右側は二組の注文票31、31’（図示せず）が商品を掲載された右側のカタログ頁21’（図示せず）上に重ねて置かれている状態を示したものである。前記二組の注文票31、31’（図示せず）は、前記注文票31が前記注文票31’（図示せず）の上側にくるように構成されると共に、前記注文票31が前記カタログ頁21に掲載された商品に対応する注文票に構成され、前記左側のカタログ頁21に掲載された商品を見ながら（確認しながら）、右側のカタログ頁21’上に設けられた前記注文票31に記入できるようになっている。このようにカタログ頁21と前記カタログ頁21に掲載された商品に対応する注文票31とが同じ見開き頁に存在することにより、目的とする商品が掲載されたカタログ頁21を見開くことにより、直ぐに目的とする商品の注文票31に記入（注文）することができる。
【００１４】
具体的に説明すると、図３において、左側のカタログ頁21に硬式テニスラケットの「○○○シリーズ」の３商品が掲載されていると共に、前記左側のカタログ頁21に掲載された３商品に対応するように商品単位に構成された注文商品記入欄32と注文者のコードナンバー記入欄33、注文者の所在地記入欄34、注文者の店名記入欄35等の固定情報が予め印刷等された注文票31が右側のカタログ頁21’（図示せず）上に前記左側のカタログ頁21に掲載された３商品を見ながら注文（記入）できるようになっている。また、商品単位の注文商品記入欄32には、注文する商品、たとえば、品番Ｘ−１の硬式テニスラケットのサイズ3Uを３本注文する場合には、注文者のコードナンバーと所在地、店名、および、所定の注文数欄に３と記入するだけで注文することができるように、品名、品番、サイズ等の固定情報が予め印刷等されて記入者の手間を可能な限り省くことができるように構成されている。また、前記注文票31には、前記綴じ部５近傍に前記綴じ部５に平行なミシン目11が設けられ、前記注文票31を前記注文票付きカタログ１から切り取ることができるようになっている。
【００１５】
また、図４は本発明にかかる注文票付きカタログを見開いた状態の他方のカタログ頁と該カタログ頁に対応する注文票の一実施例を示す平面図であって、前記二組の注文票31、31’（図示せず）を前記左側のカタログ頁21上に重ねて置くことにより、前記右側のカタログ頁21’が表出すると共に、前記注文票31’が注文票31（図示せず）の上側にくることにより、前記右側のカタログ頁21’に掲載された商品を見ながら（確認しながら）、左側のカタログ頁21上に設けられた前記注文票31’に記入できるように構成されている。また、前記注文票31’には、前記綴じ部５近傍に前記綴じ部５に平行なミシン目11が設けられ、前記注文票31’を前記注文票付きカタログ１から切り取ることができるようになっている。その他の構成は図３で説明したので省略する。
【００１６】
図５は本発明の注文票付きカタログの製造時の一構成図であって、注文票付きカタログ１は、お客様控え31Ａ、販売員控え31Ｂ、注文依頼票31Ｃの複写可能な３枚セットの注文票片３とカタログ頁を構成する両面印刷紙片２とからなり、図５上の上側から下側へ、記入面下向きの注文票片３／両面印刷紙片２の順に構成され、さらに、前記両面印刷紙片２の下側に、記入面上向きの注文票片２／記入面下向きの注文票片２／両面印刷紙片２に順に構成された構成物が、注文票付きカタログの必要頁数に合わせて順次配される。また、前記注文票片３の２箇所の位置にはミシン目11が設けられている。
【００１７】
このように構成された構成物を図５に示した半裁線50で半裁し、半裁したものを対面丁合して後に、半裁した面に糊付けすると共に表紙を綴じて無線綴じの冊子とし、該冊子の糊付けした一辺以外の三辺を化粧断ちすることにより、図１〜図３に示す注文票付きカタログとなる。
【００１８】
図５において、注文票片３はお客様控え31Ａ、販売員控え31Ｂ、注文依頼票31Ｃの複写可能な３枚セットからなる構成を示したが、これは本発明の代表的な一構成例を示したものであって、前記注文票片３の枚数は、必要に応じて決めればよいのであって１枚から任意の枚数をとることができる。また、製造時の構成についても図５に示した構成に限るものではなく、本発明の注文票付きカタログの主旨に沿う構成となる製造方法であれば、いかなる製造方法であっても構わない。また、製本の形態としては、無線綴じに限ることなく、中綴じ、マーブル巻き等にても可能である。
【００１９】
また、図示はしないが、本発明の注文票付きカタログ１には、通常製本において小口といわれる部分に、天から地へ前記注文票片に階段状（降順）に半円形の切欠部を設けると共に、カタログ頁の前記切欠部に対応する位置に前記カタログ頁に掲載された商品に対応する表示を付けた、いわゆる、切り込みインデックスを設けてもよいし、また、小口印刷といわれるインデックスを設けてもよい。このように切り込みインデックスや小口印刷を設けることにより、目的とする商品が掲載された頁を容易に見開くことができ、一層利便性の高い注文票付きカタログとすることができる。
【００２０】
また、図示はしないが本発明の注文票付きカタログは、注文票片を葉書形式の構成とすることにより、メーカーの異なる商品が頁単位に混在する場合はもとより、メーカーの異なる商品が同一頁に混在する場合においても、宛先宛名等の固定情報を事前に印刷したものを用いることができ、記入の手間をその分だけでも省くことができる利便性に優れた注文票付きカタログとすることができる。
【００２１】
【発明の効果】
本発明の注文票付きカタログは、今まで縷々説明してきたように、製本されたカタログの見開き頁の頁単位からなる二組の注文票を見開き頁に介在させることにより、カタログを見開いて掲載された商品を選定すると同時に、選定した商品の注文票が見開き頁の選定した商品を掲載した頁のもう一方の頁上に存在するために、従来、製本されたカタログと注文票が別冊子からなる場合に要した探すという手間を不要とすることができると共に、間違った注文票へ記入するという問題もなくすことができる。また、注文票を葉書形式の構成とすることにより、メーカーの異なる商品が混在する製本カタログにおいても、見開き頁単位に注文票が設けられていることにより、宛先宛名等の固定情報をより多く事前に印刷したものを用いることができ、最小限の必要事項を記入するだけで選定した商品を注文することができるという効果を奏するものである。
【図面の簡単な説明】
【図１】  図１は本発明にかかる注文票付きカタログの一実施例を示す斜視図である。
【図２】  図１の要部拡大斜視図である。
【図３】  本発明にかかる注文票付きカタログを見開いた状態の一方のカタログ頁と該カタログ頁に対応する注文票の一実施例を示す平面図である。
【図４】  本発明にかかる注文票付きカタログを見開いた状態の他方のカタログ頁と該カタログ頁に対応する注文票の一実施例を示す平面図である。
【図５】  本発明にかかる注文票付きカタログの製造時の一構成図である。
【符号の説明】
１                        注文票付きカタログ
２                        両面印刷紙片
３                        注文票片
４                        表紙
５                        綴じ部
11                        ミシン目
21，21’                  カタログ頁
31，31’                  注文票
31Ａ                      お客様控え
31Ｂ                      販売員控え
31Ｃ                      注文依頼票
32                        注文商品記入欄
33                        コードナンバー記入欄
34                        注文者の所在地記入欄
35                        注文者の店名記入欄
50                        半裁線
【図１】
0004249293.tif 000002
【図２】
0004249293.tif 000003
【図３】
0004249293.tif 000004
【図４】
0004249293.tif 000005
【図５】
0004249293.tif 000006